(57)【要約】  本発明は、移動端末（ＵＥ１）においてマルチキャストブロードキャスト・マルチメディアサービス（ＭＢＭＳ）制御チャネル（ＭＣＣＨ）で送信される伝送情報の受信の成功を検出する方法に関する。この方法においては、伝送におけるメッセージの予想数をシグナリングし、受信したメッセージの数がシグナリングされたメッセージの数と等しい場合にのみＭＣＣＨの受信を終了する。
2008530875.tif 000002
【特許請求の範囲】
【請求項１】
移動端末においてマルチキャストブロードキャスト・マルチメディアサービス（ＭＢＭＳ）制御チャネル（ＭＣＣＨ）で送信される伝送情報の受信の成功を検出する方法において、
伝送におけるメッセージの予想数をシグナリングし、受信したメッセージの数がシグナリングされたメッセージの数と等しい場合にのみＭＣＣＨの受信を終了することを特徴とする、移動端末において受信の成功を検出する方法。
【請求項２】
シグナリングされるメッセージの予想数は隣接セルのメッセージの総数である、請求項１記載の方法。
【請求項３】
隣接セルのメッセージの総数をＭＢＭＳ修正サービス情報メッセージにおいてシグナリングする、請求項２記載の方法。
【請求項４】
隣接セルのメッセージの総数は伝送における隣接セルの数である、請求項２または３記載の方法。
【請求項５】
隣接セルのメッセージの総数は各サービスに関連する伝送における隣接セルの数である、請求項２または３記載の方法。
【発明の詳細な説明】
【技術分野】
【０００１】
本発明は、殊にＵＴＲＡＮ（ユニバーサル・モバイル・テレコミュニケーション・システム陸上無線アクセスネットワーク；Universal Mobile Telecommunications System Terrestrial Radio Access Network）のような第２世代および第３世代の移動電話システムのための通信システムにおける移動端末において受信の成功を検出する方法に関する。
【０００２】
無線アクセスネットワーク（ＲＡＮ）において標準化されているＭＢＭＳのようなブロードキャストサービスは移動通信ネットワークにとってますます重要になっている。しかしながら、ＭＢＭＳ制御チャネルにおいてメッセージを受信するＵＥ（user equipment）は、このＵＥが必要とする伝送情報における全てのメッセージが確実に受信されたか否かを検出することができない。
【０００３】
移動端末においてマルチキャストブロードキャスト・マルチメディアサービス（ＭＢＭＳ）制御チャネル（ＭＣＣＨ）で送信される伝送情報の受信の成功を検出する本発明による方法では、伝送におけるメッセージの予想数をシグナリングし、受信したメッセージの数がシグナリングされたメッセージの数と等しい場合にのみＭＣＣＨの受信を終了する。
【０００４】
有利には、シグナリングされるメッセージの予想数は隣接セルのメッセージの総数である。
【０００５】
有利には、隣接セルのメッセージの総数はＭＢＭＳ修正サービス情報メッセージにおいてシグナリングされる。
【０００６】
隣接セルのメッセージの総数は伝送における隣接セルの数もしくは各サービスに関連した伝送における隣接セルの数でよい。
【０００７】
次に、移動端末においてＭＢＭＳ制御チャネル（ＭＣＣＨ）で送信される伝送情報の受信の成功を検出する方法の実施例を付属の図面を参照しながら説明する。図面において：
図１は、本発明の方法を説明するためのブロック図を示し、
図２は、図１の方法において受信される隣接セルのメッセージを示す。
【０００８】
全てのメッセージを受信したこと、それに起因して殊にＭＢＭＳ隣接セルポイント・ツー・マルチポイント（ｐ−ｔ−ｍ）無線ベアラ（ＲＢ）情報メッセージの数を受信したことを移動端末またはＵＥが知ることを保証するために、隣接セルの数が３ＧＰＰ  ＭＢＭＳ制御シグナリングでシグナリングされる。
【０００９】
３ＧＰＰ  ＭＢＭＳ制御チャネル（ＭＣＣＨ）における伝送は複数のメッセージを含む。ＭＣＣＨ伝送はＭＢＭＳ修正サービス情報メッセージおよびＭＢＭＳ未修正サービス情報メッセージを含む。ＭＣＣＨ伝送はまたＭＢＭＳ一般情報メッセージ、ＭＢＭＳ共通ｐ−ｔ−ｍ  ＲＢメッセージ、ＭＢＭＳ現行セルｐ−ｔ−ｍ  ＲＢメッセージおよび１つまたは複数のＭＢＭＳ隣接セルｐ−ｔ−ｍ  ＲＢメッセージ（隣接セル毎に１つのメッセージ）も包含する。
【００１０】
ＭＢＭＳサービスのためのＭＢＭＳ  ｐ−ｔ−ｍベアラを受信することが要求されるＵＥは、ＭＢＭＳ共通ｐ−ｔ−ｍ  ＲＢメッセージ、ＭＢＭＳ現行セルｐ−ｔ−ｍ  ＲＢメッセージおよびサービスに関連する情報を包含するＭＢＭＳ隣接セルｐ−ｔ−ｍ  ＲＢメッセージを受信するまで、ＭＣＣＨ伝送を受信し続けなければならない。メッセージは伝送から連続的に受信される。ＵＥがメッセージの受信の失敗を検出することは不可能なので、必要とされる全ての隣接セルのメッセージを受信したことをＵＥが知るためのメカニズムが必要とされる。
【００１１】
本発明の１つの実施形態においては、伝送における隣接セルの総数（１つのメッセージにつき１つである）がＭＣＣＨメッセージにおいてシグナリングされる。例えば、その数はＭＢＭＳ修正サービス情報メッセージまたはＭＢＭＳ共通ｐ−ｔ−ｍ  ＲＢメッセージまたはＭＢＭＳ現行セルｐ−ｔ−ｍ  ＲＢメッセージにおいてシグナリングされる。
【００１２】
別の実施形態においては、隣接セルの総数（１つのメッセージにつき１つである）がＭＣＣＨメッセージにおける各サービスに関する伝送においてシグナリングされる。この例はＭＢＭＳ現行セルｐ−ｔ−ｍ  ＲＢメッセージにおいてシグナリングされる。これらのパラメータのうちの１つ（１つだけシグナリングされるべきである）を受信したＵＥは、受信した隣接セルのメッセージの数をシグナリングにおいて表されている総数と比較し、必要とする全ての情報を受信したかを識別する。この場合ＵＥはＭＣＣＨの受信を停止することができる。
【００１３】
図１はＵＥの周辺の複数の隣接セルの実施例を示し、これらのセルのうちの幾つかのセルＮＢ２，ＮＢ４およびＮＢ５からＵＥ，ＵＥ１はＭＢＭＳサービス伝送を受信し、ＵＥはこのサービス伝送を制御ノードＢ，ＮＢ１からのＭＢＭＳ伝送と結合する。図２に示されているように、制御ノードＢ，ＮＢ１からＵＥ１への制御伝送Ｍ１は、ＭＢＭＳ修正サービス情報メッセージ１、ＭＢＭＳ未修正サービス情報メッセージ２、ＭＢＭＳ一般情報メッセージ３、ＭＢＭＳ共通ｐ−ｔ−ｍ  ＲＢメッセージ４およびＭＢＭＳ現行セルｐ−ｔ−ｍ  ＲＢメッセージ５を包含するメッセージ１〜５に分割されている。さらに伝送は隣接セル毎に１つ送信される複数のＭＢＭＳ隣接セルｐ−ｔ−ｍ  ＲＢメッセージ、すなわち隣接セルＮＢ２からのメッセージＭ２、隣接セルＮＢ４からのメッセージＭ４および隣接セルＮＢ５からのメッセージＭ５を包含する。上述のように、伝送は常にこの実施例において示したような全てのタイプのメッセージを包含するものではなく、またシグナリングされる数はどのメッセージが伝送内に目下存在しているかに応じて適合される。
【図面の簡単な説明】
【００１４】
【図１】本発明の方法を説明するためのブロック図。
【図２】図１の方法において受信される隣接セルのメッセージ。
【図１】
2008530875.tif 000003
【図２】
2008530875.tif 000004
【国際調査報告】
2008530875.tif 000005
2008530875.tif 000006
2008530875.tif 000007